(57)【要約】【課題】  オイル分の持ち去りを抑制できる内燃機関のブリーザ装置を提供する。【解決手段】  本発明によるブリーザ装置は、シリンダヘッドカバーの内周壁の下端にバッフルプレート１が接合され、更にその上方に補助プレート１０が設置されて画成される気液分離室９を備える。また、その気液分離室９に連通し、ブローバイガスＢが吸入されるガス吸入口６が、カムシャフト７において最後方に配置されたリアジャーナルの後端面の更に後方に設けられている。さらに、そのガス吸入口６は、カムシャフト７のシャフトロッド７ａの後端部側方まで垂下するように開口している。【選択図】  図６ 
2005127148.tif 000002
【特許請求の範囲】
【請求項１】
オイル分とガス分とを含むブローバイガスの気液分離が行われる内燃機関のブリーザ装置であって、
シリンダヘッドカバーの内部において前記ブローバイガスが流通するように画成された気液分離室と、
前記気液分離室と連通し、前記ブローバイガスが吸入されるガス吸入口と、
前記気液分離室と連通し、前記オイル分が分離されたブローバイガスが排出されるガス排出口と、
を備えており、
前記ガス吸入口は、前記内燃機関に備わるカムシャフトに設けられた少なくとも一つのジャーナル部のうち最後方に位置するジャーナル部の後端よりも後方に形成されており、且つ、該カムシャフトの回動軸を仮想的に延長した軸線の近傍まで延設されている、
内燃機関のブリーザ装置。
【発明の詳細な説明】
【技術分野】
【０００１】
本発明は、ブローバイガスの気液分離が行われる内燃機関のブリーザ装置に関する。
【背景技術】
【０００２】
一般に、内燃機関の圧縮工程又は膨張工程においてピストンとシリンダとの間からクランクケース内に漏出するブローバイガスは、霧状のオイル粒子と混合されてオイルミストになる。このようにオイル分とガス分を含むブローバイガスは、通常、気液分離が施された後、オイル分は回収され、ガス分は内燃機関側へ還元される。このとき、気液分離が不十分であると、オイル消費が増大するため、オイルセパレーターとして種々の気液分離構造や装置が提案されている。
【０００３】
このような気液分離装置の代表例として、内燃機関のシリンダヘッドカバー内に気液分離室が画成されて成るオイル分離装置としてのブリーザ装置が知られている。例えば、特許文献１には、シリンダヘッドカバーの上部に、複数の第１のじゃま板と複数の第２のじゃま板とで左右及び上下にジグザグに形成されたブローバイガス通路を有し、シリンダヘッドカバーの側壁に近い位置にガスの入口が設けられたオイル分離装置が開示されている。この従来装置は、底蓋体の中央部から下側に突出してガス入口の全体を覆い、且つシリンダヘッドカバーの側壁に向かって延びる囲い枠体とつば片とを備えることにより、動弁系によって飛散するオイル粒子のガス入口からの流入を防止することを企図したものである。    
【特許文献１】特開２０００−４５７４９号公報
【発明の開示】
【発明が解決しようとする課題】
【０００４】
しかし、上記従来装置の構造では、カムシャフト等から飛散してシリンダヘッドカバー側の上方に向かって飛来するオイル粒子が囲い枠体で散乱し、また、カムシャフト等から飛散したオイル粒子や散乱されたオイル粒子がシリンダヘッドカバーの側壁に当たって跳ね返るおそれがある。よって、そのようなオイル粒子がガス入口側におけるシリンダヘッドカバーの内壁に集中し易くなり、その結果、オイル粒子がガス入口からブローバイガス通路内へ侵入してしまう。こうなると、オイルの持ち去り量が増大してしまい、結果としてブローバイガスの気液分離が不十分となってブローバイガスの還元効率が不都合に低下してしまうので好ましくない。
【０００５】
特に、近年、エンジンの高出力化がますます進んでおり、シリンダ内の圧力が一層高められる傾向にあると共に、更なる低燃費化の要求からピストンリングの張力が低減される傾向にある等の理由により、ブローバイガス流量が増大する傾向にある。また、車両装置の高性能化を図るべく油圧駆動されるエンジン制御装置が増設される傾向にあり、オイルポンプの吐出量及び各油圧駆動装置からのオイル漏出量が増大する傾向にある。
【０００６】
さらに、更なる高性能化を達成すべく、多くの機能部材や装置をシリンダヘッドカバー内に搭載することが実施及び企図されており、ブリーザ装置構造を設けるためのスペースが縮小される傾向にある。一方、万一、車両等の衝突事故が発生した場合に歩行者保護を優先すべく、エンジンフードとエンジンとの間隙が拡張される傾向にある。これにより、エンジン全高の制約が非常に大きくなりつつあり、シリンダヘッドカバー自体の高さ及びその上に設置される構成部材が制限される傾向にある。そのため、ブリーザ装置を設けるためのスペースの縮小が一層望まれている。
【０００７】
したがって、このような状況から、より狭隘なスペースでも、ブローバイガスによるオイルの持ち去りを十分に抑制でき、気液分離効率を更に向上させることができるブリーザ装置が熱望されている。
【０００８】
そこで、本発明はかかる事情に鑑みてなされたものであり、従来に比してオイル分の含有量が少ないブローバイガスを吸引することができ、これにより、オイル分の持ち去り（持ち出し）を抑制してブローバイガスの気液分離効率を向上させることが可能な内燃機関のブリーザ装置を提供することを目的とする。
【課題を解決するための手段】
【０００９】
上記課題を解決するために本発明による内燃機関のブリーザ装置は、オイル分とガス分とを含むブローバイガスの気液分離が行われるものであって、シリンダヘッドカバーの内部においてブローバイガスが流通するように画成された気液分離室と、気液分離室と連通し且つブローバイガスが吸入されるガス吸入口と、気液分離室と連通し且つオイル分が分離されたブローバイガスが排出されるガス排出口とを備えており、ガス吸入口は、内燃機関に備わるカムシャフトに設けられた少なくとも一つのジャーナル部のうち最後方に位置するジャーナル部（カムシャフトジャーナル）の後端よりも後方に形成されており、且つ、カムシャフトの回動軸（長軸、中心軸）を仮想的に延長した軸線の近傍まで延設されて成るものである。
【００１０】
なお、本発明で内燃機関の前後方とは、内燃機関において補機類及びプーリー類が設けられた側が「前方」であり、その反対側が「後方」である。また、本発明でカムシャフトの前後方とは、シャフトロッドにおいて駆動プーリーが接続された一方の軸端側が「前方」であり、他方の軸端側が「後方」である。よって、「最後方に位置するジャーナル部」とは、シャフトロッドにおいて駆動プーリーが接続されていない軸端に最も近い部位に配置された「ジャーナル部」を示し、その「後端」とは、シャフトロッドにおいて駆動プーリーが接続されていない軸端に最も近い端（面であれば端面）を示す。
【００１１】
このように構成された内燃機関のブリーザ装置では、ガス吸入口を起点とし気液分離室内を通ってガス排出口に至るブローバイガスの流路が形成される。内燃機関の爆発燃焼によって生じるオイル分とガス分を含む気液混合体としてのブローバイガスは、その流路を通る間に気液分離が行われ、分離されたオイル分は内燃機関内に戻入される一方で、ガス分は吸気系に還元される。
【００１２】
この際、通常、シリンダヘッドカバーの下方で且つカムシャフトの上方の空間領域にはオイル分が比較的多く飛散しているのに対し、カムシャフトの端部側方の空間領域へのオイル分の飛散量は比較的少ない。本発明のブリーザ装置では、ガス吸入口は、最後方のジャーナル部の後端よりも更に後方に形成されており、そのジャーナル部及びカムシャフトの回動軸によって、カムシャフト上方の空間領域から隠されるように配置される。よって、オイル分が比較的少ない空間領域からブローバイガスが吸引される。
【００１３】
また、カムシャフトの回動軸の端部側方では、オイル分の飛散が少ないが故にブローバイガスの周囲への拡散が十分に行われず、そのため換気が不十分となってブローバイガスが滞留し易く（淀み易く）、結果としてオイル劣化が生じ得る。これに対し、本発明では、ガス吸入口がカムシャフトの回動軸を仮想的に延長した軸線の近傍、すなわちカムシャフトの回動軸の端部側方まで延設されているので、ブローバイガスが淀み易い部位からガス吸引が行われる。
【発明の効果】
【００１４】
本発明の内燃機関のブリーザ装置によれば、従来に比してオイル分の含有量が少ないブローバイガスを吸引することができ、これにより、オイル分の持ち去りを抑制してブローバイガスの気液分離効率を向上させることができる。また、ブローバイガスの淀み（滞留）を抑止でき、これによりオイルの劣化を防止することが可能となる。
【発明を実施するための最良の形態】
【００１５】
以下、本発明の実施形態について詳細に説明する。なお、同一要素には同一の符号を付し、重複する説明を省略する。また、上下左右等の位置関係は、特に断らない限り図面に示す位置関係に基づくものとする。また、図面の寸法比率は、図示の比率に限られるものではない。
【００１６】
図１は、本発明によるブリーザ装置の一例を備える内燃機関を構成するシリンダヘッドカバーの底面図、すなわちシリンダヘッドカバーが載置されるシリンダヘッドとの接合面（合わせ面）から見た状態を示す概略図である。
【００１７】
シリンダヘッドカバー５０の外周壁５１の下端には、シリンダヘッドとの界面を封止するためのシール材（図示せず）が嵌合される環状溝条５３が形成されている。また、シリンダヘッドカバー５０の上壁には、図示しない点火プラグホルダーが嵌着される筒状のホルダー保持部５９ａ，５９ｂ，５９ｃが、外周壁５１の長尺方向に沿って並設されている。
【００１８】
外周壁５１の内側には、それらのホルダー保持部５９ａ〜５９ｃを取り囲むように形成された内周壁５５が、シリンダヘッドカバー５０の上壁からシリンダヘッドへ向かって突出するように設けられている。また、図１において点状模様で示す内周壁５５の下端面は、外周壁５１の下端面（つまり環状溝条５３の面）と平行にされており、且つ、外周壁５１の下端面よりも、シリンダヘッドカバー５０の上壁に近いところに位置している。
【００１９】
さらに、内周壁５５の内側における図示矢印Ｂｗ方向寄りの角隅近傍には、ブローバイガスが排出されるガス排出口６０が設けられている。なお、図において矢印Ｆｗ及び矢印Ｂｗで示す方向が、内燃機関ひいてはシリンダヘッドカバー５０のそれぞれ前方及び後方にあたる。また、外周壁５１及び内周壁５５のそれぞれの下端面は、内燃機関が設置された車両等が水平に保持されて傾斜していない正置状態（正規の姿勢となるように置かれた状態）において、図示矢印Ｍｗ又はＨｗで示す方向に傾いていることもある。
【００２０】
さらにまた、内周壁５５の下端面には、図２（Ａ）〜（Ｃ）に示すバッフルプレート１が当接して接合される。ここで、図２（Ａ）〜（Ｃ）は、それぞれ内周壁５５の下端面に接合されるバッフルプレート１を模式的に示す平面図、側面図、及び底面図である。すなわち、図２（Ａ）〜（Ｃ）は、バッフルプレート１が内周壁５５に接合された状態において、それぞれ、シリンダヘッドカバー５０を上方から、側方（矢印Ｈｗの方向）から、及び下方から透視した図に相当する。
【００２１】
バッフルプレート１は、全体として略矩形状を成す底板２から主として構成されるものである。底板２は、シリンダヘッドカバー５０の内周壁の下端における開放部を塞ぐように形成された閉塞部２ａの周縁に、シリンダヘッドカバー５０の下端面（図１において点状模様で示す面）と当接する接合部２ｂが形成されたものである。
【００２２】
また、底板２において、シリンダヘッドカバー５０のホルダー保持部５９ａ，５９ｂ，５９ｃに対応する位置には、点火プラグホルダーが嵌入される貫通孔８ａ，８ｂ，８ｃが形成されており、それらの周縁も接合部２ｂに含まれる。
【００２３】
さらに、閉塞部２ａにおける矢印Ｈｗ方向及び矢印Ｂｗ方向（つまり後方）寄りの角隅部には、後述するガス吸入口から吸入されたブローバイガスが導入される連通口３が設けられている。またさらに、その連通口３を上方から覆うように傾斜設置された蓋板４が設置されている。さらにまた、蓋板４の矢印Ｍｗ方向寄りの側方には、隔壁板５が上方に向かって突設されている。
【００２４】
また、このバッフルプレート１の上方、つまり図２（Ａ）に示す状態のバッフルプレート１の上方に、図３に示す補助プレート１０が一定の距離を隔てて配置される。なお、両者の配置関係（状態）については、図６の一部に開示した（図６については後に詳述する。）。図３は、その補助プレート１０を模式的に示す平面図である。すなわち、図３は、補助プレート１０がバッフルプレート１の上方に設置された状態において、シリンダヘッドカバー５０を上方から透視した図に相当する。
【００２５】
補助プレート１０は、略Ｌ字状を成す平板状部材１２で主に構成されており、矢印Ｆｗ方向寄りには、ブローバイガスが流通する連通口１１が設けられると共に、一定面積の凹部１２ａ，１２ｂが所定の位置に形成されている。
【００２６】
図４（Ａ）〜（Ｃ）は、バッフルプレート１及び補助プレート１０が取り付けられたシリンダヘッドカバー５０とその下方に設けられたカムシャフトのそれぞれ正面図（矢印Ｈｗ側から見た状態）、底面図（シリンダヘッド側から見た状態）、及び側面図（矢印Ｂｗ側から見た状態）である。同図において、矢印Ｕｗ及び矢印Ｄｗは、それぞれ上方及び下方を示す。また、図５は、図４におけるＶ−Ｖ線に沿って要部を示す断面図である。さらに、図６は、カムシャフト７、バッフルプレート１及び補助プレート１０の配置関係（状態）を示す斜視図である。
【００２７】
図４（Ａ）〜（Ｃ）において、吸気側と排気側に設けられた二つのカムシャフト７，７は、それぞれ回動軸（心軸）としてのシャフトロッド７ａに所定数のカムＣｍが一定間隔で配設されたものであり、シリンダ間を区切るような位置には、フロントジャーナルＪ１、中間ジャーナルＪ２，Ｊ３、及びリアジャーナルＪ４（それぞれがジャーナル部）が配設されている。フロントジャーナルＪ１が設けられたシャフトロッド７ａの一方端に近い部位には駆動プーリー（図示せず）が接続されるようになっている。すなわち、カムシャフト７において、フロントジャーナルＪ１が最前方に位置し、他方端に近い部位に設けられたリアジャーナルＪ４が最後方に位置している。
【００２８】
また、本実施形態における気液分離室９は、シリンダヘッドカバー５０の後段部５１ｂに画成される。より具体的には、気液分離室９は、後段部５１ｂの上壁５６、その長尺側壁５７、及び短尺側壁５８、並びに、バッフルプレート１及び補助プレート１０によって画成される空間内に形成される。さらに、気液分離室９は、補助プレート１０によって、互いに連通する下方容積部Ｓ１と上方容積部Ｓ２とに隔てられており、換言すれば、これらの下方容積部Ｓ１及び上方容積部Ｓ２から気液分離室９が構成されている（図５参照）。
【００２９】
また、カムシャフト７のリアジャーナルＪ４の後端面よりも後方（矢印Ｂｗ側）には、バッフルプレート１の連通口３（図２（Ａ）〜（Ｃ）参照）更には下方容積部Ｓ１と連通するガス吸入口６が設けられている。このガス吸入口６は、バッフルプレート１の底面レベルから、二つのカムシャフト７，７のうち矢印Ｈｗ寄りに配置されたカムシャフト７の回動軸であるシャフトロッド７ａの後方端近傍まで垂下するように開口している。すなわち、ガス吸入口６は、そのシャフトロッド７ａを仮想的に後方（矢印Ｂｗ方向）に延長した軸線の近傍まで延設されている（図５及び図６参照）。
【００３０】
ここで、「近傍」とは、距離が特に制限されるものではなく、シリンダヘッドカバー５０や気液分離室９の寸法形状を勘案して、ガス吸入口６がシャフトロッド７ａの仮想延長軸線側に偏設された状態を示す。例えば、本実施形態では、ガス吸入口６の開口中心が、二つのシャフトロッド７ａ，７ａのうちいずれか一方に近接した状態をいう。また、ガス吸入口６が幾何学的に非対称な形状であれば、質量を有する同形状の平坦部材と仮定した場合の重心を実質的な開口中心と考えることができる。
【００３１】
具体的には、内燃機関の寸法形状、総排気量、シャフトロッド７ａ，７ａ間の距離等に依存するものの、例えば、ガス吸入口６の縁と上記の「仮想的に後方に延長した軸線」（仮想延長軸線）との最短距離ｄが、好ましくはシャフトロッド７ａ，７ａ間の距離の１／３以内、より好ましくは１／５以内とされる。また、絶対値で示せば、これも種々の条件に依存するものの、上記最短距離ｄが、数ｍｍ〜１００ｍｍ程度、より好ましくは数ｍｍ〜５０ｍｍ程度、更に好ましくは数ｍｍ〜３０ｍｍ程度とされる。
【００３２】
このように構成されたブリーザ装置では、気液分離室９が、オイル粒子（オイル分）と燃焼ガス（ガス分）との気液混合体であるブローバイガスＢが流通する間にそのオイル分が分離除去されるＰＣＶ（Positive Crankcase Ventilation）オイル分離通路として機能する。
【００３３】
まず、オイル分を含むブローバイガスＢがガス吸入口６から吸入されると、バッフルプレート１の下方を側方（矢印Ｈｗ方向）へ流動し、連通口３の下方で流上（矢印Ｕｗ方向）し、連通口３から気液分離室９の下方容積部Ｓ１へ流入する（特に図６参照）。ブローバイガスＢは、その直後に蓋板４に直接衝突するか、或いは、蓋板４によって流れが乱されて内周壁５５等の周囲の壁面に衝突する。
【００３４】
ブローバイガスＢに含まれる径が比較的大きいオイル粒子（液滴）は、そこで運動量を失い易く、ブローバイガスＢから分離される。そのオイル粒子は壁を伝って流下し、やがてオイル排出口（図示せず）から気液分離室９の外部へ排出される。このとき、ガス吸入口６がオイル排出口を兼ねる場合には、オイル分はそこから排出される。
【００３５】
その後、ブローバイガスＢは、内周壁５５、蓋板４及び隔壁板５によって流路を制限され、下方容積部Ｓ１内を前方（矢印Ｆｗ方向）に流動する。補助プレート１０の連通口１１の下方に達したブローバイガスＢは、連通口１１に向かって流上（矢印Ｕｗ方向）し、連通口１１から気液分離室９の上方容積部Ｓ２へ流入する。
【００３６】
そのブローバイガスＢは、内周壁５５によって流路を制限され、上方容積部Ｓ２内を後方（矢印Ｂｗ方向）へ流動する。それから、凹部１２ａ上方を進んで角隅部へ到達したブローバイガスＢは、側方（矢印Ｍｗ方向）へ進路を曲げられ、凹部１２ｂ上方を通過したところで、ガス排出口６０へ向かって流上する。
【００３７】
この際、ブローバイガスＢは、上述したように流路が曲折されることにより、また、それ加えて凹部１２ａ，１２ｂによって流れが撹乱されることにより、径が比較的小さい微小なオイル粒子が分離除去される。こうしてオイル分が分離除去されたブローバイガスＢは、ガス排出口６０から排出され、内燃機関の図示しない吸気系へ戻される。
【００３８】
このような本発明のブリーザ装置によれば、ガス吸入口６を起点とし気液分離室９内を通ってガス排出口６０に至るブローバイガスＢの流路が形成され、良好な気液分離が行われる。
【００３９】
ここで、通常、カムシャフト７上方の空間領域へは、オイル分が比較的多量に飛散する傾向にある一方で、カムシャフト７におけるシャフトロッド７ａの後端部側方の空間領域へは、オイル分の飛散が比較的少ない。そして、本実施形態では、ガス吸入口６が最後方に位置するリアジャーナルＪ４の後端面よりも更に後方に形成されているので、リアジャーナルＪ４及びシャフトロッド７ａの後端部に邪魔されてカムシャフト７の上方空間領域からのブローバイガスＢの吸引が妨げられる。
【００４０】
よって、オイル分の飛散量が少ないシャフトロッド７ａの後端部側方からブローバイガスＢを吸引できる。したがって、従来に比して気液分離室９内へのオイル分の持ち込み量を格段に低減することができる。その結果、オイルの持ち去り（持ち出し）を抑制することができると共に、ブローバイガスＢの気液分離効率ひいてはブローバイガスＢの還元効率の低下を抑止できる。
【００４１】
また、カムシャフト７のシャフトロッド７ａの後端部側方では、オイル分の飛散が少ないが為にブローバイガスＢの周囲への拡散が十分に行われず、そのためブローバイガスＢの換気が不十分となってブローバイガスが淀み易い。こうなると、ブローバイガスＢの滞留に起因してオイル劣化が促進されてしまう。
【００４２】
これに対し、本実施形態では、ガス吸入口６がシャフトロッド７ａを仮想的に後方に延長した軸線の近傍（すなわちシャフトロッド７ａの後端部側方）まで垂下するように延設されているので、ブローバイガスＢが淀み易い部位からガス吸引を行うことが可能となる。よって、上述したように懸念されるオイル分の劣化及びその不都合な促進を防止することができる。その結果、オイル寿命を延長できると共に、内燃機関に対する所望の動作特性を長期に維持できる。
【００４３】
なお、本発明は上述した実施形態に限定されるものではなく、その要旨を逸脱しない限度において様々な変形が可能である。ガス吸入口６の開口形状及び位置は図示に限られず、例えば、非矩形状に開口していてもよく、カムシャフト７のシャフトロッド７ａにより近い位置に設けられていてもよい。また、補助プレート１０を設けなくてもよい。このとき、下方容積部Ｓ１及び上方容積部Ｓ２は一つの空間容積部となるが、例えば、図示矢印Ｂｗ及び矢印Ｆｗ方向に延在する隔壁を底板２から突設してその空間容積を二分し、ブローバイガスＢを折り返して流通させるような流路を画成しても好ましい。
【産業上の利用可能性】
【００４４】
本発明による内燃機関のブリーザ装置は、オイル分の持ち去りを抑制してブローバイガスの気液分離性能を向上させることができ、しかもブローバイガスの滞留（淀み）を解消できるので、更なる高出力化及び高性能化が図られ且つ更なる安全性が追求される内燃機関、及びそのような内燃機関を備える機器、動機、設備等に広く利用できる。
【図面の簡単な説明】
【００４５】
【図１】本発明によるブリーザ装置の一例を備える内燃機関を構成するシリンダヘッドカバーの底面図（すなわちシリンダヘッドカバーが載置されるシリンダヘッドとの接合面から見た状態を示す概略図）である。
【図２】図２（Ａ）〜（Ｃ）は、それぞれ内周壁５５の下端面に接合されるバッフルプレート１を模式的に示す平面図、側面図、及び底面図である。
【図３】補助プレート１０を模式的に示す平面図である。
【図４】図４（Ａ）〜（Ｃ）は、バッフルプレート１及び補助プレート１０が取り付けられたシリンダヘッドカバー５０とその下方に設けられたカムシャフトのそれぞれ正面図、底面図、及び側面図である。
【図５】図４におけるＶ−Ｖ線に沿って要部を示す断面図である。
【図６】カムシャフト７、バッフルプレート１及び補助プレート１０の配置関係を示す斜視図である。
【符号の説明】
【００４６】
１…バッフルプレート、２ｂ…接合部、２…底板、２ａ…閉塞部、３…連通口、４…蓋板、５…隔壁板、６…ガス吸入口、７…カムシャフト、７ａ…シャフトロッド、９…気液分離室、１０…補助プレート、１１…連通口、１２ａ，１２ｂ…凹部、１２…平板状部材、８ａ，８ｂ，８ｃ…貫通孔、５０…シリンダヘッドカバー、５１ｂ…後段部、５１…外周壁、５３…環状溝条、５５…内周壁、５６…上壁、５７…長尺側壁、５８…短尺側壁、５９ａ，５９ｂ，５９ｃ…ホルダー保持部、６０…ガス排出口、Ｂ…ブローバイガス、Ｃｍ…カム、Ｊ１…フロントジャーナル（ジャーナル部）、Ｊ２，Ｊ３…中間ジャーナル（ジャーナル部）、Ｊ４…リアジャーナル（ジャーナル部）、Ｓ１…下方容積部、Ｓ２…上方容積部。
【図１】
2005127148.tif 000003
【図２】
2005127148.tif 000004
【図３】
2005127148.tif 000005
【図４】
2005127148.tif 000006
【図５】
2005127148.tif 000007
【図６】
2005127148.tif 000008